(57)【要約】【課題】電子機器の大型化、高コスト化を抑制しつつ、スイッチに関連する電子機器の誤操作を防止すると共にセキュリティを向上させる。【解決手段】ネットワーク集線装置２０は、リセットスイッチであるスイッチ７０と、盗難防止装置１００（いわゆるケンジントンロック）を装着するためのセキュリティスロット７２とを備えている。スイッチ７０は、筐体２５の外部からセキュリティスロット７２を介して操作可能となるように、ネットワーク集線装置２０の筐体２５の内部において、セキュリティスロット７２と対向し、盗難防止装置１００のロックキー１１０と干渉しない位置に設けられている。【選択図】図５
2010232025.tif 000002
【特許請求の範囲】
【請求項１】
電子機器であって、
前記電子機器の筐体に設けられた開口部であって、盗難防止装置であるケンジントンロックを該電子機器に装着した際に、該ケンジントンロックによって塞がれる開口部と、
前記電子機器の筐体の内部において、前記開口部を介して該筐体の外部から操作可能な位置であって、前記ケンジントンロックの装着時に、該ケンジントンロックと接触しない位置に設けられた手動スイッチと
を備える電子機器。
【請求項２】
前記開口部は、前記ケンジントンロックの一端を挿入するためのセキュリティスロットである請求項１記載の電子機器。
【請求項３】
前記手動スイッチは、前記電子機器の機能または設定の変更を行うためのスイッチである請求項１または請求項２記載の電子機器。
【請求項４】
前記手動スイッチは、前記電子機器の設定を初期化するリセットスイッチである請求項３記載の電子機器。
【請求項５】
前記手動スイッチは、タクトスイッチである請求項１ないし請求項４のいずれか記載の電子機器。
【請求項６】
電子機器の筐体の内部に設置される手動スイッチであって、
盗難防止装置であるケンジントンロックを該電子機器に装着した際に、該ケンジントンロックによって塞がれる、前記電子機器の筐体に設けられた開口部を介して、該筐体の外部から操作可能な位置であって、前記ケンジントンロックの装着時に、該ケンジントンロックと接触しない位置に設けられた
手動スイッチ。
【発明の詳細な説明】
【技術分野】
【０００１】
本発明は、電子機器に関し、詳しくは、電子機器が備えるスイッチの配置技術に関する。
【背景技術】
【０００２】
現在、種々の電子機器が製造され、利用されている。電子機器には、各種設定等を行うためのスイッチが装備されている。例えば、電子機器にリセットスイッチが装備される場合、ユーザの設定不備等に起因する電子機器に誤動作が生じても、ユーザがリセットスイッチを押し下げれば、電子機器の動作設定が工場出荷時の状態に初期化されるので、ユーザが再度、所望の設定を行って、電子機器を正常に動作させることができる。
【０００３】
かかるリセットスイッチは、ユーザの誤操作によって押し下げられた場合には、ユーザは、再度、初期化された設定を所望の設定に変更する必要があった。また、悪意のある第三者によってリセットスイッチが押し下げられ、設定が初期化される恐れがあった。このような場合、電子機器がネットワーク機器などであれば、設定されたセキュリティ設定が解除され、機密情報等が漏洩する恐れもあった。
【０００４】
かかる課題に対して、下記特許文献１では、雌型コネクタの奥部にリセットスイッチを設置する技術を開示している。この技術では、雌側コネクタに雄型を挿入している際には、ユーザは、スイッチを操作することができないため、ユーザの誤操作を防止することができる。しかし、当該技術でも、悪意のある第三者の操作を防ぐことはできなかった。
【０００５】
また、かかる課題に対して、電子機器にリセットスイッチを装備しないことも考えられるが、こうした場合、ユーザがリセットスイッチの操作を必要とする場面では、自らが復旧作業を行うことができないため、利便性が悪かった。また、機器全体をエンクロージャ構造にして、誤操作や第三者の悪意ある操作を防止することも考えられるが、部品点数や製造工数の増加、高コスト化、大型化などの問題があった。かかる問題は、リセットスイッチに限らず、電子機器に装備されるスイッチに共通する問題であった。
【先行技術文献】
【特許文献】
【０００６】
【特許文献１】特開２００５−２６８１２３号公報
【発明の概要】
【発明が解決しようとする課題】
【０００７】
上述の問題の少なくとも一部を考慮し、本発明が解決しようとする課題は、電子機器の大型化、高コスト化を抑制しつつ、スイッチに関連する電子機器の誤操作を防止すると共にセキュリティを向上させることである。
【課題を解決するための手段】
【０００８】
本発明は、上述の課題の少なくとも一部を解決するためになされたものであり、以下の形態又は適用例として実現することが可能である。
【０００９】
［適用例１］電子機器であって、
前記電子機器の筐体に設けられた開口部であって、盗難防止装置であるケンジントンロックを該電子機器に装着した際に、該ケンジントンロックによって塞がれる開口部と、
前記電子機器の筐体の内部において、前記開口部を介して該筐体の外部から操作可能な位置であって、前記ケンジントンロックの装着時に、該ケンジントンロックと接触しない位置に設けられた手動スイッチと
を備える電子機器。
【００１０】
かかる構成の電子機器は、その筐体内部において、ケンジントンロックの装着時に塞がれる開口部を介して筐体外部から操作可能な位置に手動スイッチを備えている。したがって、電子機器にケンジントンロックを装着すれば、開口部はケンジントンロックによって塞がれるので、開錠手段を持たない通常のユーザや第三者は、手動スイッチを操作することができない。その結果、電子機器のユーザが、手動スイッチを誤操作することがない。また、悪意のある第三者が、手動スイッチを操作することを防止することができるので、セキュリティを向上することができる。また、電子機器をエンクロージャ構造にする必要がないので、部品点数や製造工数の増加、高コスト化、大型化などの問題も生じない。なお、本願において、ケンジントンロックとは、ケンジントン社が提唱する電子機器用盗難防止装置に限らず、一端を電子機器の開口部に挿入して当該電子機器に係止し、他端を固定物や大型物に係止する盗難防止装置全般をいう。
【００１１】
［適用例２］前記開口部は、前記ケンジントンロックの一端を挿入するためのセキュリティスロットである適用例１記載の電子機器。
かかる構成の電子機器は、セキュリティスロットを開口部として利用するので、開口部を別途設ける必要がなく、電子機器を簡単な構成とすることができる。
【００１２】
［適用例３］前記手動スイッチは、前記電子機器の機能または設定の変更を行うためのスイッチである適用例１または適用例２記載の電子機器。
かかる構成の電子機器は、電子機器の機能や設定といった、電子機器にとって重要な事項の変更が、誤操作や悪意のある第三者の操作によって行われることを防止できるので、適用例１の効果がより顕著なものとなる。
【００１３】
［適用例４］前記手動スイッチは、前記電子機器の設定を初期化するリセットスイッチである適用例３記載の電子機器。
かかる構成の電子機器は、当該電気機器の設定の初期化が、誤操作や悪意のある第三者の操作によって行われることを防止できるので、適用例１の効果がより顕著なものとなる。
【００１４】
［適用例５］前記手動スイッチは、タクトスイッチである適用例１ないし適用例４のいずれか記載の電子機器。
かかる構成の電子機器において、手動スイッチはタクトスイッチであるから、ユーザは、容易に電子機器の筐体の外部からであっても、棒状部材等を用いて容易に手動スイッチを操作することができる。
【００１５】
また、本発明は、電子機器のほか、適用例５の手動スイッチとしても実現することができる。
［適用例６］電子機器の筐体の内部に設置される手動スイッチであって、盗難防止装置であるケンジントンロックの一端を挿入するための、前記電子機器の筐体に設けられた開口部を介して、該筐体の外部から操作可能な位置であって、前記開口部に前記一端を挿入した際に、該一端と接触しない位置に設けられた手動スイッチ。
【図面の簡単な説明】
【００１６】
【図１】本発明の実施例としてのネットワーク集線装置２０の内部構成を示す説明図である。
【図２】ネットワーク集線装置２０の外観を示す斜視図である。
【図３】盗難防止装置１００の構成を示す説明図である。
【図４】盗難防止装置１００のネットワーク集線装置２０への装着方法を示す説明図である。
【図５】ネットワーク集線装置２０におけるスイッチ７０の設置位置を示す説明図である。
【図６】変形例としてのネットワーク集線装置２０の構成を示す説明図である。
【発明を実施するための形態】
【００１７】
本発明の実施例について説明する。
Ａ．実施例：
Ａ−１．ネットワーク集線装置２０の概略構成：
本発明の実施例としてのネットワーク集線装置２０の内部構成を図１に示す。ネットワーク集線装置２０は、データリンク層において、ＭＡＣアドレス情報に基づいて、フレームの交換を行う、いわゆるスイッチングハブである。ネットワーク集線装置２０は、図示するとおり、ポート３０、ＭＡＣチップ４０、ＣＰＵ５０、フラッシュメモリ６１，ＤＲＡＭ６３、スイッチ７０を備えている。
【００１８】
ポート３０は、例えば、ローカルエリアネットワークＬＡＮに接続された端末やルータなどと接続するためのインタフェースであり、ここでは、８ポート構成である。ただし、ポート数は、特に限定するものではなく、例えば、４ポートであってもよいし、１６ポートであってもよい。
【００１９】
ＭＡＣチップ４０は、ポート３０から受信した信号からＭＡＣフレームを取り出し、ＭＡＣアドレステーブルを参照して、宛先ＭＡＣアドレスに対応するポートにＭＡＣフレームを送出するプロセッサである。ＭＡＣチップ４０は、本実施例においては、ポート３０から受信した信号の波形を整えるＰＨＹチップを内蔵している。
【００２０】
ＣＰＵ５０は、ＭＡＣチップ４０を制御するほか、フラッシュメモリ６１に記憶されたプログラムをＤＲＡＭ６３に展開して実行し、ネットワーク集線装置２０の動作全般を制御する。なお、ＣＰＵ５０は必須ではなく、ＭＡＣチップ４０がネットワーク集線装置２０の動作全般を制御する構成としてもよい。
【００２１】
スイッチ７０は、ネットワーク集線装置２０の筐体内部に設けられた（位置の詳細は後述）手動式のリセットスイッチである。ユーザによってスイッチ７０が押し下げられると、スイッチ７０は、所定の信号をＣＰＵ５０に出力する。かかる信号を受けると、ＣＰＵ５０は、ネットワーク集線装置２０の動作設定を工場出荷時の状態に初期化する。動作設定とは、ＩＰアドレス、サブネットマスク、通信モード（例えば、１００Ｍｂｐｓまたは１０Ｍｂｐｓ）、操作用パスワード、セキュリティ設定など、ネットワーク集線装置２０の動作全般に係る設定である。本実施例では、スイッチ７０は、押しボタン式のタクトスイッチである。なお、スイッチ７０は、ＭＡＣチップ４０に接続されていてもよい。
【００２２】
ネットワーク集線装置２０の外形を図２に示す。ネットワーク集線装置２０は、その筐体２５の１つの面に、上述したポート３０を構成するポートＰ１１〜Ｐ１８を備えている。また、ネットワーク集線装置２０は、ポートＰ１１〜Ｐ１８と同一面に、セキュリティスロット７２を備えている。ただし、セキュリティスロット７２は、ポートＰ１１〜Ｐ１８と同一面に設けられる必要はなく、例えば、ポートＰ１１〜Ｐ１８が設けられる面と対向する面に設けられてもよい。セキュリティスロット７２は、後述する盗難防止装置１００（いわゆるケンジントンロック）をネットワーク集線装置２０に装着するための開口部である。当該開口部は、本実施例では、７ｍｍ×３ｍｍの略矩形形状である。なお、セキュリティスロット７２は、現在のところ工業規格等は存在しないが、ケンジントンロック社の仕様がデファクトスタンダードとなって、各種電子機器に備えられている。
【００２３】
また、図示は省略しているが、ネットワーク集線装置２０は、ポート３０を構成するＰ１１〜Ｐ１８の各々のリンク状態、データ送受信状態、転送速度を表示するためのＬＥＤも備えている。
【００２４】
Ａ−２．盗難防止装置１００の構成と装着方法：
上述した盗難防止装置１００の構成の概略構成を図３に示す。盗難防止装置１００は、いわゆるケンジントンロックであり、図示するように、ロックキー１１０、ロックヘッド１２０、ケーブル１３０、固定部１４０を備えている。盗難防止装置１００の一端を構成するロックキー１１０は、略Ｔ字型に形成されたシャフトであり、その端面の外形は、セキュリティスロット７２の内寸よりも僅かに小さい略矩形に形成されている。すなわち、ロックキー１１０は、セキュリティスロット７２に挿入可能である。また、ロックキー１１０の軸方向の長さＤ１は、盗難防止装置１００を装着する電子機器の内部部品と干渉しないように、極力短く設定される。ロックキー１１０の軸方向の長さＤ１は、一般的には、７．７ｍｍ〜１０ｍｍ程度であり、本実施例では、７．７ｍｍである。
【００２５】
ロックキー１１０は、シャフトを軸として回転可能にロックヘッド１２０に接続されている。ロックヘッド１２０は、鍵穴１２２を備えており、鍵穴１２２に所定の鍵を挿入し、施錠することで、開錠した状態と比べて、ロックキー１１０が９０度回転する。ケーブル１３０は、ワイヤーなどの強固な部材で形成されており、一端がロックヘッド１２０に接続され、他端が固定部１４０に接続されている。固定部１４０は、無端のリング形状に形成されている。
【００２６】
かかる構成の盗難防止装置１００のネットワーク集線装置２０への装着方法について、図４を用いて説明する。図４（ａ）は、ネットワーク集線装置２０に盗難防止装置１００を装着する際の、図２に示したＡ−Ａ断面の一部を示している。図示するように、ネットワーク集線装置２０の筐体２５の内部側には、セキュリティスロット７２に対応する位置に貫通孔２３（図４（ａ）では図示せず）を備えたパッキン２２が貼り付けられている。盗難防止装置１００のロックキー１１０をセキュリティスロット７２及び貫通孔２３に挿入することで、ロックヘッド１２０と筐体２５とがほぼ当接した状態となる。なお、パッキン２２は、筐体２５の保護のために設けられており、必須ではない。
【００２７】
かかる状態で、ロックヘッド１２０の鍵穴１２２に所定の鍵を挿入し、施錠することで、ロックキー１１０が９０度回転する。すると、ロックキー１１０の端面と貫通孔２３とは、図４（ｂ）に示すように、十字型の位置関係となる。かかる状態で鍵穴１２２から鍵を抜き去れば、ロックキー１１０は回転不能な状態となり、ネットワーク集線装置２０と盗難防止装置１００とが係止される。
【００２８】
したがって、固定部１４０のリング形状の穴を、ネットワーク集線装置２０の設置場所周辺の強固な固定物や大型物、例えば、机の脚などに通して固定すれば、ネットワーク集線装置２０は、当該場所に拘束され、容易に持ち去ることができなくなる。なお、上述の盗難防止装置１００は、ケンジントン社製に限らず、種々のメーカーの製造品を用いることができる。盗難防止装置１００は、その一部の部材をネットワーク集線装置２０のセキュリティスロット７２に挿入して、ネットワーク集線装置２０と盗難防止装置１００とを係止でき、他の一部の部材を固定物等に係止できるものであればよい。例えば、ロックヘッド１２０は、鍵穴１２２に代えて、所定の番号に設定することによって、ロックキー１１０が回転するダイヤル式のロック機構を備えていてもよいし、固定部１４０は、リング形状でなく、固定物等に縛り付けることが可能な紐状形状でもよい。
【００２９】
Ａ−３．スイッチ７０の設置位置：
ネットワーク集線装置２０が備えるスイッチ７０の設置位置について、図５を用いて説明する。図５は、ネットワーク集線装置２０に盗難防止装置１００を装着した状態、すなわち、ロックキー１１０を９０度回転させて、ネットワーク集線装置２０と盗難防止装置１００とを係止させた状態を示している。本実施例においては、筐体２５の外部側の面と、ロックキー１１０の端面との距離Ｄ１は、７．７ｍｍである。
【００３０】
スイッチ７０は、筐体２５の内部の空間ＳＰにおいて、セキュリティスロット７２と対向する位置に設置されている。本実施例では、スイッチ７０は、セキュリティスロット７２の中心線上に、スイッチ７０のセキュリティスロット７２側の端面の中心点が位置するように、配置されている。また、スイッチ７０とセキュリティスロット７２との間の空間には、ネットワーク集線装置２０の他の部品は、設置されていない。すなわち、スイッチ７０は、セキュリティスロット７２から棒状部材などを挿入することによって、押し下げ可能な位置に設置されている。
【００３１】
また、スイッチ７０は、スイッチ７０が押し下げられていない状態、すなわち、スイッチ７０のロックキー１１０側の端面が、最もロックキー１１０に近づいた状態において、当該端面と筐体２５の外部側の面との距離が距離Ｄ２となるように設置されている。距離Ｄ２は、ロックキー１１０の軸方向の長さを考慮して、距離Ｄ１よりも大きい値で設定される。要するに、スイッチ７０と筐体２５との間には、スイッチ７０のＯＮ／ＯＦＦの状態にかかわらず、ロックキー１１０と筐体２５とが干渉（接触）することがないようにクリアランスが確保されている。本実施例では、距離Ｄ２は１２ｍｍである。
【００３２】
スイッチ７０が上述した位置に設けられることにより、ネットワーク集線装置２０から盗難防止装置１００を取り外した状態においては、ユーザは、セキュリティスロット７２に挿入可能な棒状部材など、例えば、針金などを用いて、スイッチ７０を押し下げることができる。一方、盗難防止装置１００をネットワーク集線装置２０に装着している際には、セキュリティスロット７２が盗難防止装置１００によって塞がれているので、ユーザは、スイッチ７０を押し下げることができない。
【００３３】
Ａ−４．効果：
上述したネットワーク集線装置２０は、その筐体の内部のセキュリティスロット７２と対向する位置に、他の部材を介装することなく、リセットスイッチであるスイッチ７０を備えている。したがって、セキュリティスロット７２に盗難防止装置１００を装着すれば、セキュリティスロット７２は盗難防止装置１００によって塞がれるので、開錠手段を持たないユーザや第三者は、スイッチ７０を操作することができない。その結果、ネットワーク集線装置２０のユーザが、誤操作によってスイッチ７０を押し下げ、ネットワーク集線装置２０の設定が初期化されることがない。また、悪意ある第三者が、スイッチ７０を押し下げることを防止して、セキュリティを向上することができる。
【００３４】
また、ネットワーク集線装置２０の管理者は、ネットワーク集線装置２０の設定の初期化の必要が生じた時には、ネットワーク集線装置２０から盗難防止装置１００を取り外して、スイッチ７０を押し下げることができるので、管理者が自ら復旧作業を行うことができるため、利便性も確保できる。
【００３５】
また、スイッチ７０はタクトスイッチであるから、管理者は、セキュリティスロット７２から棒状部材などを用いて、容易にスイッチ７０を押し下げることができる。
【００３６】
上述の実施例の変形例について説明する。
Ｂ：変形例：
Ｂ−１．変形例１：
上述の実施形態においては、本発明の実施の形態として、ネットワーク集線装置２０としての構成を例示したが、本発明は、ネットワーク集線装置に限らず、セキュリティスロットを備えた種々の電子機器として実現することができる。こうした電気機器としては、例えば、アクセスポイント、ルータ装置などのネットワーク機器、パーソナルコンピューター、ＰＤＡ（Personal Digital Assistant）、外付けハードディスク、ＤＶＤドライブ、ディスプレイ装置などとすることができる。特に、複数のユーザが使用する電子機器であって、当該電子機器を管理する管理者が別途設けられているような電子機器に適用すれば、管理者のみが盗難防止装置１００を開錠して、スイッチ７０を操作することができ、他のユーザや第三者は、スイッチ７０を操作することができないので、セキュリティが確保でき、有効である。
【００３７】
Ｂ−２．変形例２：
上述の実施形態においては、リセットスイッチとしてのスイッチ７０の構成を示したが、スイッチ７０は、リセットスイッチに限るものではない。ユーザの誤操作や第三者の悪意のある操作を防止すべきスイッチでればよい。こうしたスイッチとしては、例えば、スイッチ７０を備える電子機器の機能や設定を変更（消去を含む）するスイッチとすることができる。具体的には、本発明を適用する電子機器が無線ＬＡＮのアクセスポイントであれば、暗号・認証等の無線接続情報を自動設定するＡＯＳＳ（AirStation One-Touch Secure System、株式会社バッファローの登録商標）スイッチや、通信モードの切り替えスイッチなどとしてもよい。このように、セキュリティ強度や動作状態を変更し得るスイッチに適用すれば、ユーザや第三者は当該スイッチを操作できないので、セキュリティを確保でき、効果的である。
【００３８】
Ｂ−３．変形例３：
上述の実施形態においては、スイッチ７０は、押しボタン式のタクトスイッチとしたが、スイッチ７０の形式は、特に限定するものではない。例えば、他の形式の押しボタン式スイッチ、トグルスイッチ、キースイッチなどであってもよい。また、スイッチ７０は、第１の設定（例えばＯＮ）及び第２設定（例えばＯＦＦ）のみを切り替える２値スイッチに限らず、３つ以上の設定を切り替える多段スイッチであってもよい。
【００３９】
Ｂ−４．変形例４：
上述の実施形態においては、スイッチ７０とセキュリティスロット７２との間には、ネットワーク集線装置２０の部品を介装しない構成としたが、筐体２５の外部から、セキュリティスロット７２を介して、スイッチ７０を操作可能であれば、ネットワーク集線装置２０の部材が介装されてもよい。また、ロックキー１１０とスイッチ７０との接触を防止するための抑止部材が介装されてもよい。
【００４０】
かかる抑止部材の具体例を、図６を用いて説明する。図６に示すように、ネットワーク集線装置２０は、セキュリティスロット７２とスイッチ７０との間に、抑止部材７４を備えている。抑止部材７４は、ボックス形状の部材であり、その筐体２５側の端面は、筐体２５に固定されている。また、抑止部材７４のスイッチ７０側の端面には、貫通孔７５を備えている。貫通孔７５は、その中心点がセキュリティスロット７２の中心線上に位置するように設けられている、また、貫通孔７５の孔径は、ロックキー１１０の端面よりも小さく、すなわち、ロックキー１１０が挿入不可能なサイズに形成されている。
【００４１】
かかる抑止部材７４を設ければ、図６に示すように、筐体２５の外部側の面とスイッチ７０との距離Ｄ２よりも長い距離Ｄ３（Ｄ３＞Ｄ２）の軸方向の長さを有するロックキー１１０を備えた盗難防止装置１００が装着される場合であっても、ロックキー１１０が抑止部材７４と当接することで、ロックキー１１０が抑止部材７４よりもスイッチ７０側に挿入されることを抑止できる。したがって、ロックキー１１０の挿入によって、スイッチ７０が誤って押し下げられることがない。なお、上述の通り、ロックキー１１０の軸方向の長さは一般的に極力短く設定されるので、距離Ｄ２を上述の実施形態のように１２ｍｍ程度確保すれば、基本的には、抑止部材７４がなくても、ロックキー１１０とスイッチ７０とが接触することはない。
【００４２】
また、かかる抑止部材７４を設けることで、セキュリティスロット７２以外に筐体２５に用意された通気孔（図６では図示せず）のような開口部から棒状部材を挿入してスイッチ７０を押し下げる行為を抑制することができる。
【００４３】
Ｂ−５．変形例５：
上述の実施形態においては、セキュリティスロット７２をスイッチ７０の操作用の開口として利用する構成について示したが、ネットワーク集線装置２０は、セキュリティスロット７２とは別に、スイッチ７０の操作用の開口部を備える構成としてもよい。例えば、ネットワーク集線装置２０は、セキュリティスロット７２に隣接する開口部であって、盗難防止装置１００のネットワーク集線装置２０への装着時にロックヘッド１２０によって塞がれる開口部を備え、盗難防止装置１００の非装着時に、当該開口部を介してスイッチ７０の操作を可能とする構成であってもよい。
【００４４】
以上、本発明の実施形態について説明したが、上述した実施形態における本発明の構成要素のうち、独立クレームに記載された要素以外の要素は、付加的な要素であり、適宜省略可能である。また、本発明はこうした実施形態に限られるものではなく、本発明の要旨を脱しない範囲において、種々なる態様で実施できることは勿論である。例えば、本発明は、ネットワーク集線装置等の電子機器のほか、スイッチとしても実現することができる。
【符号の説明】
【００４５】
２０…ネットワーク集線装置
２２…パッキン
２３…貫通孔
２５…筐体
３０…ポート
４０…ＭＡＣチップ
５０…ＣＰＵ
６１…フラッシュメモリ
６３…ＤＲＡＭ
７０…スイッチ
７２…セキュリティスロット
７４…抑止部材
７５…貫通孔
１００…盗難防止装置
１１０…ロックキー
１２０…ロックヘッド
１２２…鍵穴
１３０…ケーブル
１４０…固定部
Ｐ１１〜Ｐ１８…ポート
【図１】
2010232025.tif 000003
【図２】
2010232025.tif 000004
【図３】
2010232025.tif 000005
【図４】
2010232025.tif 000006
【図５】
2010232025.tif 000007
【図６】
2010232025.tif 000008